(57)【要約】【課題】隣接するレイアウトパネルの縁部同士が真直ぐでなくても連結することができる、レイアウトパネル用の脚を提供することを課題とする。【解決手段】２枚の板状のレイアウトパネルを連結するとともに、一定の高さに保持するためのレイアウトパネル用脚を、一方のレイアウトパネルに固定される固定部を上端側に有する、縦長の板体又は棒体からなる第一本体部１０と、前記第一本体部１０と同じ長さを有する縦長の板体又は棒体からなり、当該長さが揃うように一定間隔を空けて前記第一本体部１０と並列に配置される、他方のレイアウトパネルに固定される固定部を上端側に有するる第ニ本体部２０と、前記一本体部１０と前記ニ本体部２０とを連結固定する可撓性のある板体により形成される連結板３０とより構成する。【選択図】  図１
2010148782.tif 000002
【特許請求の範囲】
【請求項１】
２枚の板状のレイアウトパネルを連結するとともに、一定の高さに保持するための脚であって、
一方のレイアウトパネルに固定される固定部を上端側に有する、縦長の板体又は棒体からなる第一本体部と、
前記第一本体部と同じ長さを有する縦長の板体又は棒体からなり、当該長さが揃うように、一定間隔を空けて前記第一本体部と並列に配置される、他方のレイアウトパネルに固定される固定部を上端側に有するる第ニ本体部と、
前記一本体部と前記ニ本体部とを連結固定する可撓性のある板体により形成される連結板と
を有するレイアウトパネル用脚。
【請求項２】
前記固定部は、上端縁から下端に向うスリット状の切れ込みである請求項１に記載のレイアウトパネル用脚。
【発明の詳細な説明】
【技術分野】
【０００１】
本発明は鉄道模型の展示などをするためのジオラマを形成するレイアウトパネルを高い位置に保持するための脚に関し、特に、２枚のレイアウトパネルの連結機能を有するものに関する。
【背景技術】
【０００２】
本願発明者は、下記特許文献において、ジオラマなどを形成する分解収納型のレイアウトパネルを提案し、このレイアウトパネルを高い位置に保持するための脚を示している。この脚は、長方形状の板体の上縁の２箇所にスリットを設けたものである。２枚のレイアウトパネルの側面には、ねじ穴が設けられるとともに、２枚のレイアウトパネルを付き合わせたときに、隣接するレイアウトパネルのねじ穴同士の間隔が、脚のスリットの間隔と一致するようになっているので、脚の２箇所のスリット部分のぞれぞれと、隣接するレイアウトパネルのねじ穴部分を合わせて留めネジで固定することで、２枚のレイアウトパネル同士を連結できると共に、脚を接合させたレイアウトパネルの数箇所に固定することで、脚として一定の高さにレイアウトパネルを保持することができる。
【特許文献１】特許第３９０２５８０号公報（図７〜９、段落［００１２］）
【発明の開示】
【発明が解決しようとする課題】
【０００３】
ところで、上記レイアウトパネル用の脚は、平板状であるので隣接するレイアウトパネル同士の脚を固定する縁部が真直ぐに揃う必要があり、レイアウトパネルの形状が長方形状でなく、隣接する縁部同士に１８０度でない角度が生じる場合には、使用することができない。
本発明は、このような問題に鑑みて、隣接するレイアウトパネルの縁部同士が真直ぐでなくても連結することができる、レイアウトパネル用の脚を提供することを課題とする。
【課題を解決するための手段】
【０００４】
上記課題を解決するために、本発明は次のような構成を有する。
請求項１に記載の発明は、２枚の板状のレイアウトパネルを連結するとともに、一定の高さに保持するための脚であって、一方のレイアウトパネルに固定される固定部を上端側に有する、縦長の板体又は棒体からなる第一本体部と、前記第一本体部と同じ長さを有する縦長の板体又は棒体からなり、当該長さが揃うように一定間隔を空けて前記第一本体部と並列に配置される、他方のレイアウトパネルに固定される固定部を上端側に有するる第ニ本体部と、前記一本体部と前記ニ本体部とを連結固定する可撓性のある板体により形成される連結板とを有するレイアウトパネル用脚である。
請求項２に記載の発明は、前記レイアウトパネル用脚において、前記固定部を、上端縁から下端に向うスリット状の切れ込みとしたものである。
【発明の効果】
【０００５】
請求項１に記載の発明は、隣接する一方のレイアウトパネルを固定する第一本体部と隣接する他方のレイアウトパネルを固定する第二本体部とが、可撓性を有する連結板により連結されているので、一方のレイアウトパネルと他方のレイアウトパネルの縁部同士がどのような角度で隣接していても、連結板が曲がることで、第一本体部と第二本体部同士の角度を自在に調整することで、隣接するレイアウトパネルのぞれぞれの縁部に第一本体部及び第二本体部を固定し、これにより、レイアウトパネル同士を連結することができる。また、蝶番で角度を調節する場合に比較して、連結板で角度を調節する場合、第一本体部と第二本体部同士の位置調整が一定範囲でできるので、固定に際して柔軟性が高い。
請求項２に記載の発明は、レイアウトパネルとの固定部を、上端縁から下端に向うスリット状の切れ込みとすることで、スリットに沿ってレイアウトパネルの高さを適宜調整することができる。
【発明を実施するための最良の形態】
【０００６】
以下、本発明の実施の形態について、図面を参照しながら説明する。
図１に本実施形態に係るレイアウトパネル用脚Ｘの斜視図を示し、図２にレイアウトパネル用脚Ｘの分解斜視図を示す。レイアウトパネル用脚は、第一本体部１０、第二本体部２０、連結板３０とから構成される。
【０００７】
第一本体部１０は、長方形状の板体であって、両短片が上下位置となる。上方の短辺を構成する縁部には下方に延びるスリット１１が固定部として設けられている。また、一方の側縁の一方の角が面取りされることで、斜めに傾斜した傾斜部１２が形成される。第二本体部２０は、第一本体部１０と鏡像関係にあり、やはりスリット２１と傾斜部２２とを有する。
連結板３０は厚さ１mm以下の可撓性を有するポリプロピレン性の長方形状の撓み板３１、補強板３２、木ねじ３３とから構成される。補強板３２は撓み板の両側縁側にそれぞれ設けられる撓み板の側縁長とほぼ同じ長さを有する長方形状の板体である。レイアウトパネル用脚Ｘは、図２に示すように第一本体部１０と第二本体部２０とを互いの傾斜部１２、傾斜部２２が向かい合うように平行に一定間隔を開けて配置し、傾斜部１２、２２が形成されていない側の面に、この間隔を跨ぐように撓み板３１を重ね、撓み板３１の両側縁のそれぞれに補強板３２を重ねて、複数の木ねじ３３により第一本体部１０及び第二本体部２０に撓み板３１と、補強板３２とを固定することにより形成される。
このような構成を有するレイアウトパネル用脚Ｘは、脚を構成する第一本体部１０及び第二本体部２０とが可撓性を有するポリプロピレンの板により連結固定されることで、第一本体部１０と第二本体部２０同士の角度を自在に変えることができる。図３に第一本体部１０と第二本体部２０との角度を９０度にした状態を表す平面図を示す。図に示すように、傾斜部１２、２２を設けることで、第一本体部１０と第二本体部２０とを連結板３０の内側に曲げたときに、傾斜部の位置に角がある場合に比較して、第一本体部１０と第二本体部２０とをより大きく曲げることができる。
【０００８】
次に、以上のような構成を有するレイアウトパネル用脚Ｘの使用方法について説明する。まず、平面視長方形状のレイアウトパネル同士を連結させる場合について説明する。図４にこのようなレイアウトパネルＰ、Ｐ同士を連結させた状態の斜視図を示す。レイアウトパネルＰは、側面に図示しないネジ穴が設けられており、２枚のレイアウトパネルＰを図のように突き合わせると、それぞれのネジ穴同士の距離が、脚Ｘの第一本体部１０のスリット１１と第二本体部２０のスリット２１との距離と等しくなるように設定されている。従って、突き合わせた２枚のレイアウトパネルＰ、Ｐにレイアウトパネル用脚を固定する場合は、それぞれのネジ穴をレイアウトパネル用脚Ｘのスリット１１、２１とを重ねて、留めネジＳにより固定する。留めネジＳは、先端側に雄ねじが形成された軸の基端に円筒状のハンドルが固定されたものである。図に示すように、突き合わせたレイアウトパネルＰ、Ｐの両側縁にレイアウトパネル用脚Ｘを固定すると、レイアウトパネルＰ、Ｐ同士を連結固定できるとともに、レイアウトパネルＰ、Ｐを一定の高さに保持することができる。なお、安定させるために、それぞれにレイアウトパネルＰ、Ｐに対しても別の脚を設けることが望ましい。
【０００９】
次に、レイアウトパネル用脚Ｘを曲げて使用する場合について説明する。図５に、４枚のレイアウトパネルＰ１〜Ｐ４にレイアウトパネル用脚Ｘ１〜Ｘ８を固定した状態を表す平面図を示す。図に示すようにレイアウトパネルＰ１、Ｐ４は長方形状であり、Ｐ２、Ｐ３は３つ角の角度が９０度で２つの角の角度が１３５度の五角形状をしている。長方形同士の接合でないので、図に示すように接合部分が１８０度にならない箇所が３カ所存在している。このような部分に対しても、レイアウトパネル用脚Ｘ６、Ｘ７、Ｘ８は連結板３０の撓み板３１を曲げることにより隣接するレイアウトパネル同士のそれぞれに第一本体部１０と第二本体部２０とを固定することができ、これにより１８０度以外の角度をもって連結するレイアウトパネル同士を連結し、一定の高さを保持することができる。なお、図におけるレイアウトパネル用脚Ｘ２、Ｘ４はレイアウトパネルＰ２、Ｐ３の角部に固定されている。このように、レイアウトパネル用脚Ｘは撓み板が曲がることで、１８０度以外の角度をもって隣接するレイアウトパネル同士の連結に使用することのほかに、角部を挟む両端面に固定することで、角部を固定する脚として使用することもできる。
以上のように、本実施形態に係るレイアウトパネル用脚Ｘは、１８０度以外の角度をもって隣接するレイアウトパネル同士の脚となるとともに、両者を連結固定でき、また、撓み板はデザイン的にシンプルであり脚としての見栄えもよい。
【図面の簡単な説明】
【００１０】
【図１】実施形態に係るレイアウトパネル用脚の斜視図である。
【図２】実施形態に係るレイアウトパネル用脚の分解斜視図である。
【図３】実施形態に係るレイアウトパネル用脚の曲げた状態を示す平面図である。
【図４】実施形態に係るレイアウトパネル用脚の第一の使用状態を示す斜視図である。
【図５】実施形態に係るレイアウトパネル用脚の第２の使用状態を示す平面図である。
【符号の説明】
【００１１】
Ｘ（Ｘ１〜Ｘ８）  レイアウトパネル用脚
Ｐ（Ｐ１〜Ｐ４）  レイアウトパネル
１０  第一本体部
２０  第二本体部
３０  連結板
３１  撓み板
【図１】
2010148782.tif 000003
【図２】
2010148782.tif 000004
【図３】
2010148782.tif 000005
【図４】
2010148782.tif 000006
【図５】
2010148782.tif 000007